【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
水中音源であって、
音響ドライバと、
前記音響ドライバの制御装置と、
前記音響ドライバに音響的に結合され、液状媒体に浸漬するように構成されている水中共振器管と、
第１の同軸の管状スリーブおよび第２の同軸の管状スリーブと、を備え、
前記共振器管は、
前記液状媒体の一部を受容するように構成されているインテリア部分と、
第１の少なくとも２つのコラジアルな共振器スロットを備える第１のスロット付き部分と、
第２の少なくとも２つのコラジアルな共振器スロットを備える第２のスロット付き部分と、をさらに備え、
前記共振器管の全長が、前記共振器管の複数の高調波を規定し、
前記第１のスロット付き部分が、前記複数の高調波のうち１つの第１の節に対応する前記共振器管の前記全長に沿った第１の位置に位置し、
前記第２のスロット付き部分が、前記複数の高調波のうち１つの第２の節に対応する前記共振器管の前記全長に沿った第２の位置に位置し、
前記音響ドライバの前記制御装置は、前記水中音源の出力信号が、前記共振器管の周波数応答によって規定される帯域幅内になるように制御すべく構成されており、
前記共振器管の外側表面の第１の部分は、前記第１の同軸の管状スリーブ内に配置されており、
前記共振器管の前記外側表面の第２の部分は、前記第２の同軸の管状スリーブ内に配置されており、
前記第１の同軸の管状スリーブおよび前記第２の同軸の管状スリーブは、前記第１のスロット付き部分および前記第２のスロット付き部分を露出させるように配置されており、
前記共振器管は、第１の共振周波数および第２の共振周波数によって規定される広帯域の周波数応答を有しており、
前記第１の共振周波数および前記第２の共振周波数の平均として規定される中間周波数の１０％から１５％の間の周波数を有する広帯域の周波数の帯域幅は、前記第１の共振周波数および前記第２の共振周波数を含む、水中音源。
【請求項２】
前記共振器管は、前記共振器管の前記全長の１０分の１から、前記共振器管の前記全長の半分までの範囲内にある外径を有する、請求項１に記載の水中音源。
【請求項３】
前記第１のスロット付き部分の前記第１の少なくとも２つのコラジアルな共振器スロットのそれぞれは、前記共振器管の半径の１０分の１と前記共振器管の前記半径の半分の範囲に含まれる幅を有し、
前記第２のスロット付き部分の前記第２の少なくとも２つのコラジアルな共振器スロットのそれぞれは、前記共振器管の前記半径の１０分の１と前記共振器管の前記半径の半分の範囲に含まれる幅を有する、請求項１又は２に記載の水中音源。
【請求項４】
前記第１のスロット付き部分および前記第２のスロット付き部分は、それらの間に前記共振器管の中間セクションを規定し、
前記共振器管の前記第１のスロット付き部分および第１の端部は、それらの間に前記共振器管の第１の端末セクションを規定し、また、
前記共振器管の前記第２のスロット付き部分および第２の端部は、それらの間に前記共振器管の第２の端末セクションを規定する、請求項１から３のいずれか一項に記載の水中音源。
【請求項５】
前記第１の端末セクションは第１のセクション長さを有し、前記第２の端末セクションは第２のセクション長さを有し、前記中間セクションは中間セクション長さを有しており、前記中間セクション長さは、前記第１のセクション長さとは異なり、かつ前記中間セクション長さは、前記第２のセクション長さとは異なる、請求項４に記載の水中音源。
【請求項６】
前記第１のスロット付き部分の前記第１の少なくとも２つのコラジアルな共振器スロットは、前記中間セクションの第１の端部と、前記第１の端末セクションの第１の端部とを接続する第１のブリッジによって分離され、
前記第２のスロット付き部分の前記第１の少なくとも２つのコラジアルな共振器スロットは、前記中間セクションの第２の端部と、前記第２の端末セクションの第１の端部とを接続する第２のブリッジによって分離される、請求項４又は５に記載の水中音源。
【請求項７】
水中音源であって、
音響ドライバと、
前記音響ドライバの制御装置と、
前記音響ドライバに音響的に結合され、液体媒体に浸漬するように構成されている水中共振器管であって、
前記液体媒体の一部を受容するように構成されている内側部分と、
第１の少なくとも２つのコラジアルな共振器スロットを備える第１のスロット付き部分と、
第２の少なくとも２つのコラジアルな共振器スロットを備える第２のスロット付き部分と、をさらに備え、
前記共振器管の全長が、前記共振器管の複数の高調波を規定し、
前記第１のスロット付き部分が、前記複数の高調波のうち１つの第１の節に対応する前記共振器管の前記全長に沿った位置に位置し、
前記第２のスロット付き部分が、前記複数の高調波のうち１つの第２の節に対応する前記共振器管の前記全長に沿った位置に位置する、前記共振器管と、
第１の同軸の管状スリーブおよび第２の同軸の管状スリーブであって、
前記共振器管は、前記第１の同軸の管状スリーブ内に配置され、それにより、前記共振器管の外側表面の第１の部分と、前記第１の同軸の管状スリーブの内側表面との間に第１の間隙を形成し、
前記共振器管は、前記第２の同軸の管状スリーブ内に配置され、それにより、前記共振器管の前記外側表面の第２の部分と、前記第２の同軸の管状スリーブの内側表面との間に第２の間隙を形成し、
前記第１の同軸の管状スリーブは、前記共振器管の前記外側表面の第前記１の部分の上を摺動するように構成され、前記第２の同軸の管状スリーブは、前記共振器管の前記外側表面の前記第２の部分の上を摺動するように構成される、前記第１の同軸の管状スリーブおよび前記第２の同軸の管状スリーブと、を備え、
前記水中音源は、前記第１のスロット付き部分が前記第１の同軸の管状スリーブにより露出され、かつ、前記第２のスロット付き部分が前記第２の同軸の管状スリーブにより露出されているときに、第１の音響モードで動作するように構成され、
前記第１の音響モードにおいて、前記共振器管は、第１の共振周波数および第２の共振周波数によって規定される広帯域の周波数応答を有しており、前記第１の共振周波数および前記第２の共振周波数の平均として規定される中間周波数の１０％から１５％の間の周波数を有する広帯域の周波数の帯域幅は、前記第１の共振周波数および前記第２の共振周波数を含み、
前記水中音源は、前記第１のスロット付き部分の少なくとも一部が前記第１の同軸の管状スリーブにより覆われ、かつ、前記第２のスロット付き部分の少なくとも一部が前記第２の同軸の管状スリーブにより覆われているときに、第２の音響モードで動作するように構成されており、
前記第２の音響モードにおいて、前記共振器管は、前記第１の同軸の管状スリーブが前記第１のスロット付き部分を覆う量、および、前記第２の同軸の管状スリーブが前記第２のスロット付き部分を覆う量に応じて前記第１の共振周波数が変化する共振周波数応答を有する、水中音源。
【請求項８】
前記第１の間隙は、１ｍｍ〜５ｍｍの間の範囲の幅を有し、前記第２の間隙は、１ｍｍ〜５ｍｍの間の範囲の幅を有する、請求項７に記載の水中音源。
【請求項９】
前記音響ドライバの前記制御装置は、前記水中音源が前記第１の音響モードで動作するように構成されたとき、少なくとも部分的には前記第１の同軸の管状スリーブの位置および前記第２の同軸の管状スリーブの位置に基づいて決定される管の共振周波数になるように、前記音響ドライバの出力周波数を制御すべく構成される、請求項７又は８に記載の水中音源。
【請求項１０】
前記音響ドライバの前記制御装置は、前記共振器管の周波数応答により規定される帯域幅内になるように、前記水中音源の出力信号を制御すべく構成される、請求項７から９のいずれか一項に記載の水中音源。
【請求項１１】
前記第１の共振周波数は、前記第１の少なくとも２つのコラジアルな共振器スロットの幅の約半分が前記第１の同軸の管状スリーブによって覆われており、かつ、前記第２の少なくとも２つのコラジアルな共振器スロットの幅の約半分が前記第２の同軸の管状スリーブによって覆われているときに、第１要素および第２要素を有する二重共振を備える、請求項７から１０のいずれか一項に記載の水中音源。
【請求項１２】
前記二重共振の第１のピークは、前記共振器管の第１の高調波モードに対応し、
前記二重共振の第２のピークは、前記共振器管の第２の高調波モードに対応しない、請求項１１に記載の水中音源。
【請求項１３】
前記二重共振の前記第１のピークの振幅、および、前記二重共振の前記第２のピークの振幅は、前記第１の同軸の管状スリーブが前記第１の少なくとも２つのコラジアルな共振器スロットを覆っている量、および、前記第２の同軸の管状スリーブが前記第２の少なくとも２つのコラジアルな共振器スロットを覆っている量に依存する、請求項１２に記載の水中音源。
【請求項１４】
水中で信号を送信する方法であって、
水中音源であって、
音響ドライバと、
前記音響ドライバの制御装置と、
前記音響ドライバに音響的に結合され、液体媒体に浸漬するように構成されている水中共振器管であって、
前記液体媒体の一部を受容するように構成されている内側部分と、
第１の少なくとも２つのコラジアルな共振器スロットを備える第１のスロット付き部分と、
第２の少なくとも２つのコラジアルな共振器スロットを備える第２のスロット付き部分と、をさらに備え、
前記共振器管の全長が、前記共振器管の複数の高調波を規定する、前記共振器管と、
第１の同軸の管状スリーブおよび第２の同軸の管状スリーブであって、
前記共振器管の外側表面の第１の部分は、前記第１の同軸の管状スリーブ内に配置されており、
前記共振器管の内側表面の第２の部分は、前記第２の同軸の管状スリーブ内に配置されており、
前記第１の同軸の管状スリーブおよび前記第２の同軸の管状スリーブは、それぞれ、前記第１のスロット付き部分および前記第２のスロット付き部分を露出させるように配置されている、前記第１の同軸の管状スリーブおよび前記第２の同軸の管状スリーブと、
を備える、
前記水中音源を提供するステップと、
前記音響ドライバにより、前記広帯域周波数幅内の周波数を有する音響出力を生成するステップと、を含む、
方法。